(57)【要約】【課題】防水ケースに収納されたままの状態で外部との通信などが可能で、防水の信頼性を向上させることが可能な防水型デジタルカメラを提供する。【解決手段】デジタルカメラ本体１１が収納可能な中空ケースで、その最小面積の一側面は閉じられることで内部を防水する開閉可能な防水蓋１２２であり、防水蓋１２２の主面に対向する側面はその内面側に電気信号の入出力のためのコネクタ１２ｃが設けられ、外面側にコネクタ１２ｃと信号の入出力可能な端子部１２ｔが設けられた防水ケースに、デジタルカメラ本体１１のコネクタ１１ｃとコネクタ１２ｃとが接続されて、デジタルカメラ本体１１が収納される。【選択図】        図１
2004328317.tif 000002
【特許請求の範囲】
【請求項１】
ボディの最小面積の側面に電気信号の入出力のためのコネクタＡが設けられたデジタルカメラ本体と、
前記デジタルカメラ本体が収納可能な中空ケースで、その最小面積の一側面は閉じられることで内部を防水する開閉可能な防水蓋であり、該防水蓋の主面に対向する側面はその内面側に電気信号の入出力のためのコネクタＢが設けられ、外面側に該コネクタＢと外部との信号の入出力可能なコネクタＣが設けられた防水ケースとからなり、
前記コネクタＡとコネクタＢとが接続されて、前記デジタルカメラ本体が防水ケースに収納されることを特徴とする防水型デジタルカメラ。
【請求項２】
前記デジタルカメラ本体が、前記コネクタＡとコネクタＢとコネクタＣとを介して外部電源と接続可能であることを特徴とする請求項１に記載の防水型デジタルカメラ。
【請求項３】
前記防水ケースにコネクタＢと接続された充電回路を備えることを特徴とする請求項２に記載の防水型デジタルカメラ。
【請求項４】
光学方法を用いた通信手段により、前記コネクタＢとコネクタＣとの間で信号が入出力されることを特徴とする請求項１〜３のいずれか一に記載の防水型デジタルカメラ。
【請求項５】
磁気方法を用いた通信手段により、前記コネクタＢとコネクタＣとの間で信号が入出力されることを特徴とする請求項１〜３のいずれか一に記載の防水型デジタルカメラ。
【請求項６】
電波方法を用いた通信手段により、前記コネクタＢとコネクタＣとの間で信号が入出力されることを特徴とする請求項１〜３のいずれか一に記載の防水型デジタルカメラ。
【発明の詳細な説明】
【０００１】
【発明の属する技術分野】
本発明は、防水ケースを備えた防水型デジタルカメラに関するものである。
【０００２】
近年、ＣＣＤ（Ｃｈａｒｇｅ  Ｃｏｕｐｌｅｄ  Ｄｅｖｉｃｅ）等の撮像素子を搭載したデジタルカメラが広く使われるようになってきている。デジタルカメラは、フォーカスレンズ・ズームレンズ・絞り・フィルター部・レンズを移動させる駆動系などからなるレンズユニットと、被写体像を受光し、その信号を出力するＣＣＤと、ＣＣＤからの信号を処理する信号処理系と、液晶ディスプレイ（ＬＣＤ）表示部と、バッテリ系と、各構成部の動作を制御する制御系と、パソコンなどとのデータ通信やバッテリを外部電源と接続して充電するためのクレードルとが具備された構成となっている。
【０００３】
また、デジタルカメラによる撮影において、オートフォーカス機能がデジタルカメラに装備され、撮影の失敗は少なくなり、良好な画像を得ることができるようになっていることから広く一般に利用され、様々な環境で使用されるようになってきている。
【０００４】
しかしながら、カメラが水にぬれるような使用環境では、上記クレードルは防水構造となっていないことから防水対策が必要となっている。
【０００５】
その防水対策としては、カメラを防水ケースに収納する構成が汎用性に優れ、簡便であることから一般的である。最近では、防水ケースの曇り止めのために除湿手段を設けた防水型カメラが提案されている（例えば、特許文献１参照。）。
【０００６】
また、水中でのストロボの着脱が自在で、適正なストロボ発光制御可能な水中カメラが提案されている（例えば、特許文献２参照。）。
【０００７】
【特許文献１】
特開２０００−１９４０４８号公報（段落００１２〜００３３、図１、２）
【特許文献２】
特開平１１−２３７６６２号公報（段落００１１〜００１４、図１）
【０００８】
【発明が解決しようとする課題】
しかしながら、撮影現場で外部装置とデータ通信しようとした場合、防水ケースに設けられたコネクタ用の蓋を利用してデータ通信は可能であるが、その蓋を開いてコネクタやケーブルと接続する必要があるために、使用者の利便性は非常に損なわれてきた。また、防水ケースの蓋を開く必要があるため、たとえ外部装置が防水構造であっても、データ通信時には水のかからない清浄な環境が要求されていた。
【０００９】
また、防水ケースの開口部がカメラの背面側に設けられ、防水シールするための断面が大きいため、大掛かりな防水構造が必要となり、防水の信頼性に問題があった。
【００１０】
本発明は、以上の従来技術における問題に鑑みてなされたものであり、防水ケースに収納されたままの状態で外部との通信などが可能で、防水の信頼性を向上させることが可能な防水型デジタルカメラを提供することを目的とする。
【００１１】
【課題を解決するための手段】
前記課題を解決するために提供する請求項１の発明に係る防水型デジタルカメラは、ボディの最小面積の側面に電気信号の入出力のためのコネクタＡが設けられたデジタルカメラ本体と、前記デジタルカメラ本体が収納可能な中空ケースで、その最小面積の一側面は閉じられることで内部を防水する開閉可能な防水蓋であり、該防水蓋の主面に対向する側面はその内面側に電気信号の入出力のためのコネクタＢが設けられ、外面側に該コネクタＢと外部との信号の入出力可能なコネクタＣが設けられた防水ケースとからなり、前記コネクタＡとコネクタＢとが接続されて、前記デジタルカメラ本体が防水ケースに収納されることを特徴とする。
【００１２】
請求項１の発明により、データ通信時、外部電源使用時に、防水ケースの蓋を開けずに、一動作でコネクタ、ケーブルの接続を行うことができるため、使用者の利便性は良くなる。また、防水が確保された状態のまま外部装置との接続が可能であることから、外部のデータ通信手段が防水構造であれば、水分の有るような清浄ではない環境でもデータ通信が可能となる。さらに、防水型デジタルカメラの長手方向の最小面積に限定した開口部の防水構造とすることで防水シールするための断面を最小とすることができ、防水の信頼性も向上する。
なお、コネクタＡをプラグ形状のコネクタとし、コネクタＢをソケット形状のコネクタとして、コネクタＡをコネクタＢに差し込むことにより電気的な接続が可能となる構造となることが好ましい。
【００１３】
前記課題を解決するために提供する請求項２の発明に係る防水型デジタルカメラは、請求項１の発明において、前記デジタルカメラ本体が、前記コネクタＡとコネクタＢとコネクタＣとを介して外部電源と接続可能であることを特徴とする。
【００１４】
請求項２の発明により、通信と電源の兼用コネクタとすることで、部品点数の低減が可能となり、防水型デジタルカメラを小型化や簡素化することができ、コネクタ部分の防水の信頼性も向上させることができる。
【００１５】
前記課題を解決するために提供する請求項３の発明に係る防水型デジタルカメラは、請求項２の発明において、前記防水ケースにコネクタＢと接続された充電回路を備えることを特徴とする。
【００１６】
請求項３の発明により、デジタルカメラ本体からバッテリを取り出さずにそのままの状態で充電が可能となる。さらに内部に充電回路を省略することができるためデジタルカメラ本体の小型化も可能となる。
【００１７】
前記課題を解決するために提供する請求項４の発明に係る防水型デジタルカメラは、請求項１〜３の発明において、光学方法を用いた通信手段により、前記コネクタＢとコネクタＣとの間で信号が入出力されることを特徴とする。
前記課題を解決するために提供する請求項５の発明に係る防水型デジタルカメラは、請求項１〜３の発明において、磁気方法を用いた通信手段により、前記コネクタＢとコネクタＣとの間で信号が入出力されることを特徴とする。
前記課題を解決するために提供する請求項６の発明に係る防水型デジタルカメラは、請求項１〜３の発明において、電波方法を用いた通信手段により、前記コネクタＢとコネクタＣとの間で信号が入出力されることを特徴とする。
【００１８】
請求項４〜６の発明により、防水ケースの隔壁を貫通するものがないため防水の信頼性をより向上させることができる。
また、磁気方法を用いた通信手段では、光通信と異なり光の外乱などの影響を受けずにより精度の高いデータ伝達が可能となる。
さらに、電波方法を用いた通信手段では、より離れたところへより精度の高いデータ伝達が可能となる。
【００１９】
【発明の実施の形態】
以下に、本発明に係る防水型デジタルカメラの第１の実施の形態について説明する。なお、以下に示す実施の形態は例示であり、これに限定されるものではない。
図１は、本発明に係る防水型デジタルカメラの構成を示す断面図である。
防水型デジタルカメラ１０は、ボディの最小面積の側面に電気信号の入出力のためのコネクタ１１ｃ（図示せず）が設けられたデジタルカメラ本体１１と、ケース本体１２１と防水蓋１２２とでデジタルカメラ本体１１が収納される空間を形成し、防水蓋１２２と対向する面となるケース本体１２１の底面の内面側にコネクタ１２ｃ、外面側にコネクタの一態様である端子部１２ｔを有する防水ケース１２とからなる。また、デジタルカメラ本体１１が防水ケース１２に収納されると、コネクタ１１ｃとコネクタ１２ｃとは接続状態となる。
【００２０】
デジタルカメラ本体１１のブロック図を図２に示す。
デジタルカメラ本体１１は、
（１）レンズ系２０；フォーカスレンズ２１、ズームレンズ２２、絞りやシャッタのメカ機構２３、モータ２４，２５，２６，２ａ及びドライバ２７，２８，２９，２ｂを有し、絞りやシャッタの動作やフォーカスレンズやズームレンズを光軸方向に移動させる光学系駆動部
（２）撮像部・画像処理部；ＣＣＤ（電荷結合素子）３２を駆動するＴＧ（Ｔｉｍｉｎｇ  Ｇｅｎｅｒａｔｏｒ）部３１、ＣＣＤ３２の出力信号をサンプリングし、デジタル化するＣＤＳ（相関２重サンプリング）回路３３・可変利得増幅器（ＡＧＣアンプ）３４・Ａ／Ｄ変換器３５、ＩＰＰ（Ｉｍａｇｅ  Ｐｒｅ−Ｐｒｏｃｅｓｓｏｒ）３６、ＲＡＭ（内部メモリ）３７、ＤＣＴ（ＤｉｓｃｒｅｔｅＣｏｓｉｎｅ  Ｔｒａｎｓｆｏｒｍ）３８、コーダー（Ｈｕｆｆｍａｎ  Ｅｎｃｏｄｅｒ／Ｄｅｃｏｄｅｒ）３９、ＭＣＣ（Ｍｅｍｏｒｙ  Ｃａｒｄ  Ｃｏｎｔｒｏｌｌｅｒ）３ａ、カードインターフェース３ｂ、ＰＣカード（メモリーカード等含む）３ｃ、ストロボ５０
（４）制御部；コントローラ（ＣＰＵ）４０、フラッシュメモリ（ＥＥＰＲＯＭ）４１、コントローラ用Ａ／Ｄ変換器４２、コントローラ用Ｄ／Ａ変換器４３、システムバスライン
（５）画像表示部；レンズ系、撮像部、画像処理部を経由して出力される画像を表示するための液晶ディスプレイ（ＬＣＤ）ドライバ回路６１、ＬＣＤ表示部６２、補助光ランプ６３、補助光ランプ駆動回路６４
（６）電源系；ＤＣ−ＤＣコンバータ７０、バッテリ７１，７２、ＡＣアダプタ７３
（７）音声系；音声アンプ部８０、マイク８１、スピーカ８２、イヤホン８３
（８）操作系；操作部９０、レリーズスイッチ９１、モード入力手段９２
（９）その他；振動モータドライバａ１、振動モータａ２
を備えており、各部は従来公知の技術と同様の構成及び機能を有していればよい。
【００２１】
防水ケース１２の構成を図３に示す。
防水ケース１２は、最小面積の一側面が開口している中空の直方体であるケース本体１２１と、ケース本体１２１の開口部に対して開閉可能に取り付けられた防水蓋１２２と、防水蓋１２２と対向する面となるケース本体１２１の底面の内面側にコネクタ１２ｃと、その外面側に端子部１２ｔ（図示せず）とを有する。
【００２２】
ケース本体１２１内部の中空の空間は、デジタルカメラ本体１１が収納可能な最小のスペースでよく、ケース本体１２１の開口部はデジタルカメラ本体１１のボディの最小面積の側面よりも若干大きくすることでデジタルカメラ本体１１の挿入が容易となる。
【００２３】
防水蓋１２２がケース本体１２１の開口部に対して閉じられると、防水蓋１２２に付属の防水蓋ロック１２３がケース本体１２１の内面で係止されることにより防水蓋１２２は閉状態で固定される。
【００２４】
また、この防水蓋１２２の閉状態により、防水蓋１２２の主面とケース本体１２１の開口部の端面に設けられたゴムパッキン１２４とが押し付けられて、ケース本体１２１と防水蓋１２２との間に外部から水が進入することを防止することが可能となる。
【００２５】
ケース本体１２１内部の上部２コーナーに設けられたカメラガイド１２５は、デジタルカメラ本体１１を適正位置にガイドするためのものである。デジタルカメラ本体１１上部の面はカメラガイド１２５に押し当てられスライドしながらケース本体１２１内に挿入され、デジタルカメラ本体１１のコネクタ１１ｃは上下位置が調整されることによりコネクタ１２ｃと適正位置で接続可能となる。また、デジタルカメラ本体１１の正面及び背面をカメラガイド１２５に押し当てるようにすることによりコネクタ１１ｃの左右位置を調整するようにしてもよい。
【００２６】
鏡胴スペース１２６は、沈胴式鏡胴を有するデジタルカメラ本体１１に対応して設けられたものである。デジタルカメラ本体１１は、鏡胴は収納された状態でケース本体１２に挿入され、撮影時には鏡胴スペース１２６により撮影条件に応じて鏡胴の伸縮が可能となる。これにより、防水型デジタルカメラ１０の小型化とともに沈胴式鏡胴も考慮したレンズ系２０のズームも可能となる。
【００２７】
モードダイアル１２７は、デジタルカメラ本体１１のモードダイアル９２と連動することにより、防水ケース１２外部から撮影モードの切替えが可能となる。なお、モードダイアル１２７とモードダイアル９２とが連動動作する機構は従来公知の技術であればよい。
【００２８】
つぎに、コネクタ１１ｃとコネクタ１２ｃとの構成例を図４に示す。
コネクタ１１ｃは、デジタルカメラ本体１１のボディの長手方向に面する最小面積の側面上に設けられ、凸形状のプラグである接点部支持部１１ｅと、接点部支持部１１ｅの登頂部及び側面に設けられた接点部１１ｄとを備える。
接点部１１ｄは、デジタルカメラ本体１１における外部通信用ドライバ３ｄ、通信・電源アダプタＡと電気的に接続されている。
【００２９】
また、コネクタ１２ｃは、ケース本体１２１内面のうち防水蓋１２２と対向する最小面積の面上に設けられ、接点部支持部１１ｅの凸形状の鏡像の形状となる凹部１２ｅと、凹部１２ｅの側面のうち接点部支持部１１ｅの接点部１１ｄのある側面に対応する側面及び底面に設けられた接点部１２ｄと、接点部１２ｄに接続され接点部支持部１１ｅ内を防水ケース１２の外部方向に貫通する導体部１２ｆ（図示せず）とを備える接点部支持部である。
接点部１２ｄは、防水ケース１２の外面側に設けられる端子部１２ｔと導体部１２ｆにより電気的に接続されている。
【００３０】
デジタルカメラ本体１１が防水ケース１２に収納されると、コネクタ１１ｃの接点部支持部１１ｅがコネクタ１２ｃの凹部１２ｅに差し込まれた状態となり嵌合され、接点部１１ｄと接点部１２ｄとは正確に接触し、電気的に接合状態となる。
【００３１】
なお、接点部支持部１１ｅのデジタルカメラ本体１１側を基準として、接点部支持部１１ｅを上下左右に微動可能とすることにより、コネクタ１２ｃの凹部１２ｅとの嵌合がより正確に簡便にできるようになる。あるいは、コネクタ１２ｅのケース本体１２１側を起点として、コネクタ１２ｅを上下左右に微動可能としてもよく、この機構を接点部支持部１１ｅ、コネクタ１２ｅの両方に適用してもよい。
【００３２】
防水ケース１２におけるコネクタ１２ｃと端子部１２ｔとの接続に関する断面構成を図５に示す。
コネクタ１２ｃの接点部支持部１２ｅは、隔壁１２９の貫通孔１２ａに嵌め込まれ、防水ケース１２外部側に出た端面に端子部１２ｔを支持する端子部支持部１２ｂが接合されている。
また、端子部支持部１２ｂは、接点部支持部１２ｅの断面よりも大きな断面サイズとなっており、接点部支持部１２ｅとの接合部分で接点部支持部１２ｅからはみ出した部分と隔壁１２９とでゴムパッキン１２ｇを挟みこむことにより貫通孔１２ａを防水する構造となっている。
【００３３】
さらに、コネクタ１２ｃの接点部１２ｄは、それぞれ接点部支持部１２ｅ及び端子部支持部１２ｂを貫通する導体部１２ｆにより防水ケース１２外部の端子部１２ｔと接続されている。これにより、防水ケース１２内部を防水した状態で、防水ケース内部と外部との電気信号の入出力が可能となる。
【００３４】
また、図中では通信のための構成を示したが、コネクタ１２ｃ及び端子部１２ｔを外部電源と接続するコネクタ及び端子を一部に含む構成とすると、防水ケース１２内部を防水した状態で、電気信号の入出力とともに外部電源からの電力供給も可能となる。また、通信と電源の兼用コネクタとすることで、部品点数の低減が可能となり、防水型デジタルカメラ１０を小型化や簡素化することができ、コネクタ部分の防水の信頼性も向上させることができる。
【００３５】
なお、防水ケース１２内部の空きスペースにコネクタ１２ｃに接続した充電回路を設けることにより、デジタルカメラ本体１１からバッテリ７１，７２を取り出さずにそのままの状態で充電が可能となる。さらに内部に充電回路を省略することができるためデジタルカメラ本体１１の小型化も可能となる。
【００３６】
以上の構成とすることで、データ通信時、外部電源使用時に、防水ケース１０の蓋を開けずに、外部の端子部１２ｔに差し込むという一動作でコネクタ、ケーブルの接続を行うことが可能になり、使用者の利便性は良くなる。
また、防水が確保された状態のまま外部装置との接続が可能であることから、外部のデータ通信手段が防水構造であれば、水分の有るような清浄ではない環境でもデータ通信が可能となる。
さらに、防水型デジタルカメラ１０の長手方向の最小面積に限定した開口部の防水構造とすることで防水シールするための断面を最小とすることができ、防水の信頼性も向上する。
【００３７】
次に、本発明に係る防水型デジタルカメラの第２の実施の形態について図面を参照して説明する。なお、本発明に係る防水型デジタルカメラの構成は、防水ケース１２の内部のコネクタ１２ｃから外部のコネクタとの間の通信手段が異なり、それ以外の部分は第１の実施の形態と同じである。
【００３８】
図６に、光学方法を用いた通信手段により、防水ケース１２内部のコネクタ１２ｃと外部のコネクタ部１２ｊとの間で信号が入出力される構成を示す。
防水ケース１２の内部には、コネクタ１２ｃとともに、コネクタ１２ｃの導体部１２ｆが接続されコネクタ１２ｃからの電気信号を光信号に変換し、外部からの光信号を電気信号に変換する信号変調・復調手段ａと、フォトダイオードなどによる光送信部ｂと、フォトトランジスタなどによる光受信部ｃとを有する光通信部１２ｈが備えられている。また、光通信部１２ｈの電力はコネクタ１２ｃを介してデジタルカメラ本体１１から供給される。
防水ケース１２の隔壁１２９の光通信が行われる部分または全部に、透明樹脂などにより光学的導波部１２ｉが形成されている。
防水ケース１２の外部には、光通信のためのコネクタ部１２ｊが備えられている。
【００３９】
以上の構成とすることにより、隔壁１２９を貫通するものがないため防水の信頼性をより向上させることができる。
なお、デジタルカメラ本体１１に光通信部１２ｈを設けて、デジタルカメラ本体１１を防水ケース１２に収納したときに、その光通信部１２ｈが光学的導波部１２ｉに配置されるようにしてもよい。
さらに、上記光学手段とともに図５で示したコネクタ構成を併用して、外部電源から光通信部１２ｈへ電力供給する構成としてもよい。
【００４０】
次に、本発明に係る防水型デジタルカメラの第３の実施の形態について図面を参照して説明する。なお、本発明に係る防水型デジタルカメラの構成は、防水ケース１２の内部のコネクタ１２ｃから外部のコネクタとの間の通信手段が異なり、それ以外の部分は第１の実施の形態と同じである。
【００４１】
図７に、磁気方法を用いた通信手段により同時双方向の通信を行う場合の、防水ケース１２内部のコネクタ１２ｃと外部のコネクタとの間で信号が入出力される構成を示す。
防水ケース１２の内部には、コネクタ１２ｃとともに、コネクタ１２ｃの導体部１２ｆが接続されコネクタ１２ｃからの電気信号を磁気信号に変換し、外部からの磁気信号を電気信号に変換する信号変調・復調手段ｄと、磁気ループコイルなどを用いて磁気的に結合して通信を行う磁気送信部ｅ、磁気受信部ｆとを有する磁気通信部１２ｋが備えられている。また、磁気通信部１２ｋの電力はコネクタ１２ｃを介してデジタルカメラ本体１１から供給される。
防水ケース１２の隔壁１２９の磁気通信が行われる部分に、磁気的導波部１２ｍが形成されている。
防水ケース１２の外部には、外部コネクタ（図示せず）からの電気信号を磁気信号に変換し、防水ケース１２内部からの磁気信号を電気信号に変換する信号変調・復調手段ｉと、磁気ループコイルなどを用いて磁気的に結合して通信を行う磁気送信部ｇ、磁気受信部ｈとを有する磁気通信部１２ｎが備えられている。また、磁気通信部１２ｎの電力は外部コネクタを介して外部電源から供給される。
なお、磁気送信部ｅと磁気受信部ｆとの間、磁気送信部ｇと磁気受信部ｈとの間は相互に磁気的干渉が発生しない程度に離して配置されている。
【００４２】
以上の構成とすることにより、隔壁１２９を貫通するものがないため防水の信頼性をより向上させることができ、光通信と異なり光の外乱などの影響を受けずにより精度の高いデータ伝達が可能となる。
なお、片側方向通信の場合には、磁気送信部と磁気受信部とに分ける必要がなく１つの磁気送受信部でよい。その際の通信方法は送信と受信の間に認識信号を入れて通信を行えばよい。また、上記磁気手段とともに図５で示したコネクタ構成を併用して、外部電源から磁気通信部１２ｋへ電力供給する構成としてもよい。
【００４３】
次に、本発明に係る防水型デジタルカメラの第４の実施の形態について図面を参照して説明する。なお、本発明に係る防水型デジタルカメラの構成は、防水ケース１２の内部のコネクタ１２ｃから外部のコネクタとの間の通信手段が異なり、それ以外の部分は第１の実施の形態と同じである。
【００４４】
図８に、電波方法を用いた通信手段により、防水ケース１２内部のコネクタ１２ｃと外部のコネクタとの間で信号が入出力される構成を示す。
防水ケース１２の内部には、コネクタ１２ｃとともに、コネクタ１２ｃの導体部１２ｆが接続されコネクタ１２ｃからの電気信号を電波信号に変換し、外部からの電波信号を電気信号に変換する信号変調・復調手段ｊと、アンテナｋとを有する無線通信部１２ｐが備えられている。また、無線通信部１２ｐの電力はコネクタ１２ｃを介してデジタルカメラ本体１１から供給される。
防水ケース１２の外部には、外部コネクタ（図示せず）からの電気信号を電波信号に変換し、防水ケース１２内部からの電波信号を電気信号に変換する信号変調・復調手段ｎと、アンテナｍを有する無線通信部１２ｑが備えられている。また、無線通信部１２ｑの電力は外部コネクタを介して外部電源から供給される。
なお、無線送信部ｑは防水ケース１２の隔壁１２９に接している必要はなく、離れていてもよい。
【００４５】
以上の構成とすることにより、隔壁１２９を貫通するものがないため防水の信頼性をより向上させることができ、より離れたところへより精度の高いデータ伝達が可能となる。
【００４６】
【発明の効果】
上述したように、請求項１の発明によれば、データ通信時、外部電源使用時の使用者の利便性が良くなる。また、外部のデータ通信手段が防水構造であれば、水分の有るような清浄ではない環境でもデータ通信が可能となり、防水の信頼性も向上する。
請求項２の発明によれば、部品点数の低減が可能となり、防水型デジタルカメラを小型化や簡素化することができ、コネクタ部分の防水の信頼性も向上させることができる。
請求項３の発明によれば、デジタルカメラ本体からバッテリを取り出さずにそのままの状態で充電が可能となり、デジタルカメラ本体の小型化も可能となる。
請求項４〜６の発明によれば、防水ケースの隔壁を貫通するものがないため防水の信頼性をより向上させることができる。
【図面の簡単な説明】
【図１】本発明に係る防水型デジタルカメラの構成例を示す断面図である。
【図２】本発明に係る防水型デジタルカメラのデジタルカメラ本体の構成を示すブロック図である。
【図３】本発明に係る防水型デジタルカメラの構成例を示す立体斜視図である。
【図４】本発明に係る防水型デジタルカメラのコネクタ部分の構成を示す概略図である。
【図５】本発明に係る防水型デジタルカメラの防水ケースのコネクタ部分における第１の実施の形態の構成を示す断面図である。
【図６】本発明に係る防水型デジタルカメラの防水ケースのコネクタ部分における第２の実施の形態の構成を示す断面図である。
【図７】本発明に係る防水型デジタルカメラの防水ケースのコネクタ部分における第３の実施の形態の構成を示す断面図である。
【図８】本発明に係る防水型デジタルカメラの防水ケースのコネクタ部分における第４の実施の形態の構成を示す断面図である。
【符号の説明】
１０    防水型デジタルカメラ
１１    デジタルカメラ本体
１１ｃ    コネクタ
１１ｄ，１２ｄ    接点部
１１ｅ    接点部支持部
１２    防水ケース
１２ｃ    コネクタ
１２ｅ    凹部
１２ｆ    導体部
１２ｇ    ゴムパッキン
１２ｈ    光通信部
１２ｉ    光学的導波路
１２ｊ    光通信用コネクタ部
１２ｋ，１２ｎ    磁気通信部
１２ｍ    磁気的導波路
１２ｐ，１２ｑ    無線通信部
２０    レンズ系
２１    フォーカスレンズ
２２    ズームレンズ
２３    メカ機構
２４，２５，２６，２ａ    モータ
２７，２８，２９，２ｂ    ドライバ
３１    ＴＧ部
３２    ＣＣＤ
３３    ＣＤＳ
３４    ＡＧＣアンプ
３５    Ａ／Ｄ変換部
３６    ＩＰＰ
３７    ＲＡＭ
３８    ＤＣＴ
３９    コーダー
３ａ    ＭＣＣ
３ｂ    カードインターフェース
３ｃ    ＰＣカード
４０    コントローラ
４１    フラッシュメモリ
４２    Ａ／Ｄ変換器
４３    Ｄ／Ａ変換器
５０    ストロボ
６１    ＬＣＤドライバ回路
６２    ＬＣＤ表示部
６３    補助光ランプ
６４    補助光ランプ駆動部
７０    ＤＣ−ＤＣコンバータ
７１，７２    バッテリ
７３    ＡＣアダプタ
８０    音声アンプ部
８１    マイク
８２    スピーカ
８３    イヤホン
９０    操作部
９１    レリーズスイッチ
９２    モード入力手段
１２１    ケース本体
１２２    防水蓋
１２３    防水蓋ロック
１２４    ゴムパッキン
１２５    カメラガイド
１２６    鏡胴スペース
１２７    モードダイアル
１２８    ストロボ部
１２９    隔壁
Ａ    通信・電源アダプタ
ａ１    振動モータドライバ
ａ２    振動モータ
ａ，ｄ，ｉ，ｊ，ｎ    信号変調、復調手段
ｂ    光送信部
ｃ    光受信部
ｅ，ｇ    磁気送信部
ｆ，ｈ    磁気受信部
ｋ，ｍ    アンテナ
【図１】
2004328317.tif 000003
【図２】
2004328317.tif 000004
【図３】
2004328317.tif 000005
【図４】
2004328317.tif 000006
【図５】
2004328317.tif 000007
【図６】
2004328317.tif 000008
【図７】
2004328317.tif 000009
【図８】
2004328317.tif 000010